(57)【要約】【課題】青紫レーザ光源を用いる高密度光ディスクに対して記録または再生が可能な光ピックアップにおいて、部品点数を削減し、コンパクトかつ安価な光ピックアップおよび光ディスク装置を提供する。【解決手段】カップリングレンズアクチュエータの可動距離Ｌ、すなわちカップリングレンズの移動範囲は、ＤＶＤの記録または再生時のカップリングレンズの位置と、ＣＤの記録または再生時のカップリングレンズの位置とがそれぞれ両端である。ＢＤにおける情報記録面の保護基板の厚さに応じた球面収差を補正するための、カップリングレンズの移動範囲はカップリングレンズアクチュエータの可動距離Ｌの間に収めている。【選択図】図２７
2011165224.tif 000002
【特許請求の範囲】
【請求項１】
波長λ１（３５０ｎｍ〜４５０ｎｍ）の発散光束を出射する半導体レーザである第１の光源と、前記波長λ１とは異なる波長λ２の発散光束を出射する第２の光源と、前記波長λ１および前記波長λ２とは異なる波長λ３の発散光束を出射する第３の光源と、それぞれの光源から出射された光束の発散度を変換するカップリングレンズと、前記カップリングレンズをレンズ光軸方向に沿って移動させるレンズアクチュエータと、前記波長λ１の光束を保護基板厚みｔ１である第１の光ディスクの情報記録面に集光させ、かつ前記波長λ２の光束を前記厚みｔ１とは異なる保護基板厚みｔ２である第２の光ディスクの情報記録面に集光させ、かつ前記波長λ３の光束を前記ｔ１および前記ｔ２とは異なる保護基板厚みｔ３である第３の光ディスクの情報記録面に集光させる対物レンズを備え、前記レンズアクチュエータは前記波長λ１の光束を前記第１の光ディスクの情報記録面に集光時と前記波長λ２の光束を前記第２の光ディスクの情報記録面に集光時と前記波長λ３の光束を前記第３の光ディスクの情報記録面に集光時とで前記カップリングレンズを異なる位置に移動させ、前記レンズアクチュエータによって前記カップリングレンズを移動可能な範囲は、前記波長λ２の光束を前記第２の光ディスクの情報記録面に集光時の位置から、前記波長λ３の光束を前記第３の光ディスクの情報記録面に集光時との位置までである、光ピックアップ。
【請求項２】
前記第２の光源は前記波長λ２が６００〜７００ｎｍである赤色半導体レーザであり、前記第３の光源は前記波長λ３が７５０〜８５０ｎｍである赤外半導体レーザである、請求項１記載の光ピックアップ。
【請求項３】
前記レンズアクチュエータは前記波長λ１の光束を前記第１の光ディスクの情報記録面に集光時に、前記カップリングレンズの出射光束が略平行光となる位置に前記カップリングレンズを移動させる、請求項１記載の光ピックアップ。
【請求項４】
前記レンズアクチュエータは前記波長λ２の光束を前記第２の光ディスクの情報記録面に集光時に、前記カップリングレンズの出射光束が集光状態となる位置に前記カップリングレンズを移動させる、請求項３記載の光ピックアップ。
【請求項５】
前記レンズアクチュエータは前記波長λ３の光束を前記第３の光ディスクの情報記録面に集光時に、前記カップリングレンズの出射光束が発散状態となる位置に前記カップリングレンズを移動させる、請求項４記載の光ピックアップ。
【請求項６】
前記第１の光ディスクは複数層の情報記録面を有し、表面から前記それぞれの情報記録層面までの前記透明基材の実質厚みの差によって発生する球面収差を、前記カップリングレンズの移動により補正する、請求項５記載の光ピックアップ。
【請求項７】
光ピックアップと、情報記録媒体を回転駆動するためのモータと、前記光ピックアップと前記モータを制御する制御部を備えた光ディスク装置であって、前記光ピックアップが請求項１から請求項６のいずれか一つに記載される光ピックアップであることを特徴とする光ディスク装置。
【請求項８】
請求項７に記載される光ディスク装置と、情報を入力するための入力手段と、前記光ディスク装置から再生された情報および／または前記入力手段から入力された情報に基づいて演算を行う演算手段と、前記光ディスク装置から再生された情報および／または前記入力手段から入力された情報および／または前記演算手段によって演算された結果を出力するための出力手段を備えたコンピュータ。
【請求項９】
請求項７に記載される光ディスク装置と、前記光ディスク装置から得られる情報信号を画像情報に変換するデコーダを備えた光ディスクプレーヤ。
【請求項１０】
請求項７に記載される光ディスク装置と、画像情報を前記光ディスク装置によって記録するための情報信号に変換するエンコーダを備えた光ディスクレコーダ。
【発明の詳細な説明】
【技術分野】
【０００１】
本発明は、互いに波長の異なる複数の光源を備え、複数種類の光ディスク等の情報記録媒体に対して、光学的に情報の記録または再生を行う光ピックアップおよび光ピックアップを具備した光ディスク装置と、この光ディスク装置を具備したコンピュータ、光ディスクプレーヤ、光ディスクレコーダに関するものである。
【背景技術】
【０００２】
近年、青紫半導体レーザの実用化に伴い、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）と同じサイズで、高密度・大容量の光情報記録媒体（以下、光ディスクともいう）であるＢｌｕ−ｒａｙ  Ｄｉｓｃ（以下、ＢＤ）が実用化されている。このＢＤは、波長４００ｎｍ程度の青紫レーザ光源と、開口数（Ｎｕｍｅｒｉｃａｌ  Ａｐｅｒｔｕｒｅ、ＮＡ）を０．８５まで高めた対物レンズを用いて情報の記録または再生を行う、保護基板厚約０．１ｍｍの光ディスクである。
【０００３】
そこで、それぞれ保護基板厚が異なる光ディスクの情報記録面に対して、それぞれ異なる波長のレーザ光を単一あるいは複数の対物レンズを用いて収束させて情報の記録または再生を行う、互換性を有する光ピックアップが提案されている。
【０００４】
例えば特許文献１（特開２００５−２９３７６５号公報）には、別々の光源から出射された異なる波長のレーザ光の光軸を一致させ、単一のカップリングレンズと単一の対物レンズを用いて、異なる保護基材厚を有する光ディスクへ情報の記録または再生を行う構成が示されている。特許文献１に示された、従来の光ピックアップの構成例を図２２（ａ）に示す。図２２（ａ）において、１０１は青紫色レーザ光を出射する光源、１０２は赤色レーザ光と赤外レーザ光を出射する２波長光源、１０３はそれぞれの光源からの出射光の光軸を一致させるダイクロイックプリズム、１０４はそれぞれの光源からの発散光の発散角を変換するカップリングレンズ、１０５は複数の波長のレーザ光をそれぞれ異なる保護基材厚の光ディスクに集光させる互換対物レンズ、１３１は回転する光ディスクへ互換対物レンズ１０５をフォーカス制御やトラッキング制御によって追従させる互換対物レンズアクチュエータ、１３２はカップリングレンズ１０４を光軸方向に移動させるカップリングレンズアクチュエータ、１５１は高密度光ディスク（ＢＤ）、１５２はＤＶＤ、１５３はＣＤである。この構成において、高密度光ディスク１５１やＤＶＤ１５２やＣＤ１５３のいずれの媒体に記録または再生を行う場合においても、互換対物レンズ１０５の設計は入射する光束が略平行光である時に、良好なスポットがそれぞれの光ディスクの情報記録面に形成されるように構成されている。波長の異なる光線を同一のカップリングレンズ１０４で平行光に変換しようとしても、波長の違いによるレンズ材料の屈折率の違いから、発散度合いが変わってしまう。ここで、カップリングレンズアクチュエータ１３２によってカップリングレンズ１０４を光軸方向に移動させることにより、いずれの波長においても互換対物レンズ１０５へ入射する光束は略平行光となることを可能としている。
【０００５】
また、特許文献２（特開２００４−２８１０３４号公報）にも、別々の光源から出射された異なる波長のレーザ光の光軸を一致させ、単一の対物レンズを用いて異なる保護基材厚を有する光ディスクへ情報の記録または再生を行う別の構成が示されている。
【０００６】
特許文献２に示された、従来の光ピックアップの構成例を図２２（ｂ）に示す。図２２（ｂ）において、２０１は青紫色レーザ光を出射する第１の光源、２０２は赤色レーザ光を出射する第２の光源、２０３は赤外レーザ光を出射する第３の光源、２０４は第１と第２の光源からの出射光の光軸を一致させる第１の光路合成素子、２０５は第１または第２の光源からの発散光の発散角を変換するカップリングレンズ、２０６はカップリングレンズ２０５を通過した第１または第２の光束と第３の光源からの出射光の光軸を一致させる第２の光路合成素子、２０７は複数の波長のレーザ光をそれぞれ異なる保護基材厚の光ディスクに集光させる互換対物レンズ、２３１は回転する光ディスクへ互換対物レンズ２０７をフォーカス制御やトラッキング制御によって追従させる互換対物レンズアクチュエータ、２３２はカップリングレンズ２０５を光軸方向に移動させるカップリングレンズアクチュエータ、２５１は高密度光ディスク（ＢＤ）、２５２はＤＶＤ、２５３はＣＤである。この構成において、第３の光源から出射された赤外レーザ光は発散光として互換対物レンズ２０７へ入射させており、保護基材厚の違いから発生する球面収差を補正するとともに、互換対物レンズ２０７の光ディスクに対向する面から光ディスクの保護基材厚表面までの距離（作動距離、ＷＤ）を長くできる構成としている。また、カップリングレンズ２０５をカップリングレンズアクチュエータ２３２によって光軸方向に移動し、互換対物レンズ２０７へ入射する青紫色レーザ光や赤色レーザ光の発散度を変えて、それぞれの光ディスクの保護基材厚の違いから発生する球面収差を補正するとともに、作動距離ＷＤを長くできる構成も可能としている。
【０００７】
また、特許文献３（特開２００３−８５８０６号公報）には、光源からの出射光を平行光に変換するカップリングレンズを光軸方向に移動させ、対物レンズに入射する光束の平行度を変える構成が示されている。特に保護基材厚の厚み誤差によって球面収差が多量に発生する高密度ディスク（ＢＤ）において、簡易な構成でその球面収差を補正できるとともに、２層ディスクなどの多層ディスクにおいても、それぞれの情報記録面に集光させる際にカップリングレンズ位置を移動させて、最適な球面収差補正量を適用できる構成であるとしている。
【特許文献１】特開２００５−２９３７６５号公報
【特許文献２】特開２００４−２８１０３４号公報
【特許文献３】特開２００３−８５８０６号公報
【発明の開示】
【発明が解決しようとする課題】
【０００８】
特許文献３には、光ディスクの保護基材厚み誤差に起因する球面収差を、カップリングレンズを光軸方向にさせて、対物レンズに入射する光束の発散度合いを変えることによって補正する手段が示されている。この考え方を応用し、特許文献１または２においては、複数の波長を有する光源からの光束を単一のカップリングレンズを光軸方向に移動させその発散度合いを変え、波長毎に発散度合いを変えた光束を互換対物レンズに入射させることで所定の球面収差を発生させ、異なる保護基材厚みを有する光ディスクの情報記録面上に収差の少ない良好なスポットを形成する手段が示されている。
【０００９】
しかしながら、特許文献１や２において、カップリングレンズを移動させる移動距離についての詳細な開示がない。特に、高密度光ディスク（ＢＤ）に対応させた光ピックアップにおいては、特許文献３で示される構成により光ディスクの基材厚み誤差に起因する球面収差量を補正し、多層ディスクにも対応していく構成が有効であるが、単一のカップリングレンズを用いて、特許文献１や２のようにＤＶＤやＣＤにさらに対応させるためにカップリングレンズの移動手段を使用するとなると、そのカップリングレンズの移動量が大きくなってしまう。カップリングレンズの移動距離が大きくなると、光ピックアップの小型化が困難になり、光ピックアップを搭載する光ディスクドライブ装置などが大型化してしまうといった課題がある。
【課題を解決するための手段】
【００１０】
上記課題を解決するための、本特許出願に係る請求項１に記載の発明は、光ピックアップであって、波長λ１（３５０ｎｍ〜４５０ｎｍ）の発散光束を出射する半導体レーザである第１の光源と、前記波長λ１とは異なる波長λ２の発散光束を出射する第２の光源と、前記波長λ１および前記波長λ２とは異なる波長λ３の発散光束を出射する第３の光源と、それぞれの光源から出射された光束の発散度を変換するカップリングレンズと、前記カップリングレンズをレンズ光軸方向に沿って移動させるレンズアクチュエータと、前記波長λ１の光束を保護基板厚みｔ１である第１の光ディスクの情報記録面に集光させ、かつ前記波長λ２の光束を前記厚みｔ１とは異なる保護基板厚みｔ２である第２の光ディスクの情報記録面に集光させ、かつ前記波長λ３の光束を前記厚みｔ１および前記厚みｔ２とは異なる保護基板厚みｔ３である第３の光ディスクの情報記録面に集光させる対物レンズを備え、前記レンズアクチュエータは前記波長λ１の光束を前記第１の光ディスクの情報記録面に集光時と前記波長λ２の光束を前記第２の光ディスクの情報記録面に集光時と前記波長λ３の光束を前記第３の光ディスクの情報記録面に集光時とで前記カップリングレンズを異なる位置に移動させ、前記レンズアクチュエータによって前記カップリングレンズを移動可能な範囲は、前記波長λ２の光束を前記第２の光ディスクの情報記録面に集光時の位置から、前記波長λ３の光束を前記第３の光ディスクの情報記録面に集光時との位置までである、光ピックアップ。
【００１１】
上記課題を解決するための、本特許出願に係る請求項２に記載の発明は、請求項１記載の光ピックアップであって、前記第２の光源は前記波長λ２が６００〜７００ｎｍである赤色半導体レーザであり、前記第３の光源は前記波長λ３が７５０〜８５０ｎｍである赤外半導体レーザであることを特徴とする光ピックアップ。
【００１２】
上記課題を解決するための、本特許出願に係る請求項３に記載の発明は、請求項１記載の光ピックアップであって、前記レンズアクチュエータは前記波長λ１の光束を前記第１の光ディスクの情報記録面に集光時に、前記カップリングレンズの出射光束が略平行光となる位置に前記カップリングレンズを移動させる、光ピックアップ。
【００１３】
上記課題を解決するための、本特許出願に係る請求項４に記載の発明は、請求項３記載の光ピックアップであって、前記レンズアクチュエータは前記波長λ２の光束を前記第２の光ディスクの情報記録面に集光時に、前記カップリングレンズの出射光束が集光状態となる位置に前記カップリングレンズを移動させる、光ピックアップ。
【００１４】
上記課題を解決するための、本特許出願に係る請求項５に記載の発明は、請求項４記載の光ピックアップであって、前記レンズアクチュエータは前記波長λ３の光束を前記第３の光ディスクの情報記録面に集光時に、前記カップリングレンズの出射光束が発散状態となる位置に前記カップリングレンズを移動させる、光ピックアップ。
【００１５】
上記課題を解決するための、本特許出願に係る請求項６に記載の発明は、請求項５記載の光ピックアップであって、前記第１の光ディスクは複数層の情報記録面を有し、表面から前記それぞれの情報記録層面までの前記透明基材の実質厚みの差によって発生する球面収差を、前記カップリングレンズの移動により補正する、光ピックアップ。
【００１６】
本発明の光ディスク装置は、光ピックアップと、情報記録媒体を回転駆動するためのモータと、前記光ピックアップと前記モータを制御する制御部を備えた光ディスク装置であって、前記光ピックアップが前記いずれか一つに記載される光ピックアップであることを特徴としている。
【００１７】
本発明のコンピュータは、前記規定される光ディスク装置と、情報を入力するための入力手段と、前記光ディスク装置から再生された情報および／または前記入力手段から入力された情報に基づいて演算を行う演算手段と、前記光ディスク装置から再生された情報および／または前記入力手段から入力された情報および／または前記演算手段によって演算された結果を出力するための出力手段を備えたことを特徴としている。
【００１８】
本発明の光ディスクプレーヤは、前記記載される光ディスク装置と、前記光ディスク装置から得られる情報信号を画像情報に変換するデコーダを備えたことを特徴としている。
【００１９】
本発明の光ディスクレコーダは、前記記載される光ディスク装置と、画像情報を前記光ディスク装置によって記録するための情報信号に変換するエンコーダを備えたことを特徴としている。
【発明の効果】
【００２０】
本発明によれば、複数種類のレーザ光を用いて複数種類の光ディスクの記録または再生が可能な光ピックアップ、特に高密度光ディスクに対して記録または再生可能な、青紫レーザ光源を用いた光ピックアップにおいて、コンパクトかつ安価で高性能な光ピックアップおよび光ディスク装置を実現することが可能となる。
【００２１】
また、このような光ピックアップおよび光ディスク装置を実現できるので、本発明のコンピュータ、光ディスクプレーヤ、光ディスクレコーダを、コンパクトかつ安価に提供できる。
【発明を実施するための最良の形態】
【００２２】
以下、本発明の光ピックアップおよび光ディスク装置、コンピュータ、光ディスクプレーヤ、光ディスクレコーダの実施の形態について、図面を参照しながら説明する。
【００２３】
（実施の形態１）
図１から図３は本発明の一実施の形態における光ピックアップの概略構成図である。
【００２４】
図１において、１は青紫レーザ光を出射する光源、２は平板ビームスプリッタ、３はリレーレンズ、４はウェッジプリズム、５はカップリングレンズ、６は１／４波長板、７はミラー、８は対物レンズ、９は検出ホログラム、１０は検出レンズ、１１は赤色レーザ光と赤外レーザ光を出射する２波長光源、１２は回折格子、２０は受光素子、３０は対物レンズアクチュエータであり、これらが光ピックアップ４０を構成している。
【００２５】
また、６０は保護基板厚約０．１ｍｍの光ディスクであるＢＤである。
【００２６】
初めに、ＢＤ６０に対して、情報の記録または再生を行う光ピックアップ４０の動作について述べる。光源１から出射された波長４０５ｎｍの青紫レーザ光は、平板ビームスプリッタ２にＳ偏光で入射する。平板ビームスプリッタ２で反射された青紫レーザ光は、リレーレンズ３を透過して、ＮＡの異なる発散光に変換される。青紫レーザ光は、ウェッジプリズム４で反射された後、カップリングレンズ５で略平行光に変換され、１／４波長板６によって直線偏光が円偏光に変換され、ミラー７で反射された後、対物レンズ８によって、保護基板越しにＢＤ６０の情報記録面に光スポットとして収束される。
【００２７】
ＢＤ６０の情報記録面で反射した青紫レーザ光は、再び対物レンズ８を透過し、ミラー７で反射され、１／４波長板６で往路とは異なる直線偏光に変換された後、カップリングレンズ５で収束光に変換され、ウェッジプリズム４で反射されて、リレーレンズ３でＮＡの異なる収束光に変換される。さらに青紫レーザ光は、平板ビームスプリッタ２にＰ偏光で入射して透過し、検出ホログラム９を透過する際に、０次光と±１次回折光が生成され、検出レンズ１０で非点収差が与えられて、受光素子２０に導かれる。
【００２８】
次に、図２を用いて保護基板厚０．６ｍｍの光ディスクであるＤＶＤ７０の記録または再生を行う場合、図３を用いて保護基板厚１．２ｍｍの光ディスクであるＣＤ８０の記録または再生を行う場合の光ピックアップ４０の動作について述べる。
【００２９】
図２において、２波長光源１１から出射された波長６６０ｎｍの赤色レーザ光は、回折格子１２で０次回折光であるメインビームと±１次回折光であるサブビームに分離された後、ウェッジプリズム４にＰ偏光で入射する。ウェッジプリズム４を透過した赤色レーザ光は、カップリングレンズ５で若干の収束光に変換され、１／４波長板６によって直線偏光が円偏光に変換され、ミラー７で反射された後、対物レンズ８によって、保護基板越しにＤＶＤ７０の情報記録面に光スポットとして収束される。
【００３０】
ＤＶＤ７０の情報記録面で反射した赤色レーザ光は、再び対物レンズ８を透過し、ミラー７で反射され、１／４波長板６で往路とは異なる直線偏光に変換された後、カップリングレンズ５で収束光に変換される。赤色レーザ光はウェッジプリズム４にＳ偏光で入射して反射され、リレーレンズ３でＮＡの異なる収束光に変換されて、平板ビームスプリッタ２と検出ホログラム９を透過し、検出レンズ１０で非点収差が与えられた後、受光素子２０に導かれる。
【００３１】
同様に、図３において、２波長光源１１から出射された波長７８５ｎｍの赤外レーザ光は、回折格子１２で０次回折光であるメインビームと±１次回折光であるサブビームに分離された後、ウェッジプリズム４にＰ偏光で入射する。ウェッジプリズム４を透過した赤外レーザ光は、カップリングレンズ５でＮＡの異なる若干の発散光に変換され、１／４波長板６によって直線偏光が円偏光に変換され、ミラー７で反射された後、対物レンズ８によって、保護基板越しにＣＤ８０の情報記録面に光スポットとして収束される。
【００３２】
ＣＤ８０の情報記録面で反射した赤外レーザ光は、再び対物レンズ８を透過し、ミラー７で反射され、１／４波長板６で往路とは異なる直線偏光に変換された後、カップリングレンズ５で収束光に変換される。赤外レーザ光はウェッジプリズム４にＳ偏光で入射して反射され、リレーレンズ３でＮＡの異なる収束光に変換されて、平板ビームスプリッタ２と検出ホログラム９を透過し、検出レンズ１０で非点収差が与えられた後、受光素子２０に導かれる。
【００３３】
ＢＤ６０、ＤＶＤ７０およびＣＤ８０を記録または再生するためのフォーカス誤差信号は、検出レンズ１０によって非点収差を与えられた集光スポットを受光素子２０内の４分割受光パターンで検出する、いわゆる非点収差法等を用いることが可能である。
【００３４】
一方、トラッキング誤差信号は、例えばＢＤ６０においては、検出ホログラム９を透過する際に生成された０次光と１次回折光を、受光素子２０の所定の受光領域で検出して行うことで、ＢＤ６０に形成される情報トラックの溝の位置、幅、深さにばらつきがある場合に生じるトラッキング誤差信号の変動、および情報トラックに情報が記録され、反射率が変わることで生じるトラッキング誤差信号の変動を抑制することが可能である。また、複数の情報記録面を有するＢＤ６０において、記録または再生の対象となる情報記録面とは異なる情報記録面で反射された不要な光（迷光）が、トラッキング誤差信号を検出する受光領域に入射することを避けることもできる。
【００３５】
図４は検出ホログラム９の光束分割パターンの例を模式的に示したものである。図中の波線はＢＤ６０の情報記録面で反射されたレーザ光の、検出ホログラム９上での光束径を示している。検出ホログラム９は、７種類の領域９ａ〜９ｇを有しており、それぞれの領域に入射したレーザ光を０次回折光と±１次回折光に分割する。トラッキング誤差信号ＴＥは、それぞれの領域９ａ〜９ｇで回折された＋１次回折光の、受光素子２０での受光量に応じた電流信号Ｉａ〜Ｉｇを用いて、
ＴＥ＝（Ｉａ−Ｉｂ）−ｋ（Ｉｃ＋Ｉｄ−Ｉｅ−Ｉｆ）
の演算により得られる。
【００３６】
ＤＶＤ７０およびＣＤ８０においては、回折格子１２によって生成されたメインビームとサブビームを用いた、いわゆる３ビーム法や差動プッシュプル法（ＤＰＰ法）等が用いられる。
【００３７】
なお、フォーカス誤差信号およびトラッキング誤差信号の検出は、これらの検出方法に限定されるものではなく、例えば、ＢＤ６０も、回折格子によって生成されたメインビームとサブビームを用いた差動プッシュプル法（ＤＰＰ法）等を用いることが可能である。
【００３８】
本実施の形態の対物レンズ８は、ＢＤ６０を記録または再生するための青紫レーザ光、ＤＶＤ７０を記録または再生するための赤色レーザ光、ＣＤ８０を記録または再生するための赤外レーザ光を、波長の差を利用してそれぞれ微小な光スポットとして収束するための回折構造を備えている。
【００３９】
具体的には図５（ａ）に示すように、対物レンズ８の少なくとも１面、例えば対物レンズ８の入射面（光源側の面）に、断面が鋸歯状のブレーズ型回折構造が形成されている。ブレーズ型回折構造は、対物レンズ８の屈折のパワーと合わせて、それぞれの波長のレーザ光によって記録または再生されるＢＤ６０、ＤＶＤ７０、ＣＤ８０の情報記録面上に、それぞれの波長のレーザ光を回折限界まで収束できるよう収差補正を施されている。このように入射光の一部を回折するブレーズ型回折構造を備えた対物レンズ８は、異なる保護基板厚の光ディスク上にそれぞれ回折限界の光スポットを形成することができる。なお、赤外レーザ光をＣＤ８０に対して収束させるための領域は、光軸を含むレンズ中央部分に限り、赤色レーザ光をＤＶＤ７０に対して収束させるための領域は、レンズ中央部分とその外側の中周部分に限り、青紫レーザ光をＢＤ６０に対して収束させるための領域は、レンズ中央部分と中周部分とその外側の外周部分の全て用いるように設計することにより、ＣＤ８０に対するＮＡを約０．５０に制限し、ＤＶＤ７０に対するＮＡを約０．６５に制限し、ＢＤ６０に対するＮＡを約０．８５に拡大することができる。
【００４０】
対物レンズ８は、図５（ａ）のようにレンズの入射面にブレーズ型回折構造を形成した対物レンズに限らず、例えば図５（ｂ）に示すように、屈折型の正のパワーの対物レンズ８ａと、別体のホログラムレンズ８ｂとを一体駆動し、ＢＤ６０、ＤＶＤ７０、ＣＤ８０の記録または再生を行うようにしてもよい。なお、このような別体のホログラムレンズ８ｂを用いることで、傾斜角度の大きい対物レンズ８の入射面に回折構造を形成する必要がなく、金型を製作しやすいという効果がある。なお、ホログラムレンズ８ｂの回折構造は、図５（ｂ）のように光源側に形成する構成に限らず、対物レンズ８ａ側の面に形成してもよく、対物レンズ８側の面と光源側の面の両方に形成してもよい。
【００４１】
また、図６（ｃ）に示すように、屈折型の正のパワーの対物レンズ８ａ’と、階段形状の回折構造を備えたホログラムレンズ８ｂ’とを一体駆動する構成であっても同様の効果が得られることは言うまでもない。
【００４２】
なお、対物レンズは、例えば複数の硝材の波長分散特性を利用した屈折型の対物レンズ等、ＢＤ６０を記録または再生するための青紫レーザ光、ＤＶＤ７０を記録または再生するための赤色レーザ光、ＣＤ８０を記録または再生するための赤外レーザ光を、それぞれ微小な光スポットとして収束することができればよく、上述の回折構造を備えた対物レンズに限定されるものではない。
【００４３】
対物レンズアクチュエータ３０は、図７に示すように、複数のサスペンションワイヤ３０ａによって対物レンズホルダ３０ｂ（可動部）を支持している。対物レンズアクチュエータ３０は、上述したフォーカス誤差信号とトラッキング誤差信号を用いて、回転する光ディスクの情報トラックに光スポットが追従するよう、フォーカス方向（ａ）およびトラッキング方向（ｂ）に対物レンズ８を駆動する。
【００４４】
さらに、フォーカス方向（ａ）、トラッキング方向（ｂ）の変位に加えて、光ディスクの半径方向（ｃ）に対物レンズ８を傾けることも可能である。
【００４５】
カップリングレンズ５は、カップリングレンズアクチュエータ３１によって、カップリングレンズ５の光軸方向に移動可能となっている。
【００４６】
図８はカップリングレンズアクチュエータ３１の概略構成図である。図８において、５はカップリングレンズ、３２はステッピングモータ、３３はスクリューシャフト、３４は主軸、３５は副軸、３６はレンズホルダである。ステッピングモータ３２を駆動してスクリューシャフト３３を回転させることにより、カップリングレンズ５を保持するレンズホルダ３６は、主軸３４および副軸３５に沿ってカップリングレンズ５の光軸方向に移動する。
【００４７】
図９に示すように、カップリングレンズ５の出射光が略平行光となる基準位置（ａ）に対して、カップリングレンズ５を光源側に移動させることによって、カップリングレンズ５の出射光は発散光となり（ｂ）、ＢＤ６０の保護基板が厚くなった場合に発生する球面収差を補正できる。一方、カップリングレンズ５を対物レンズ側に移動させることによって、カップリングレンズ５の出射光は収束光となり（ｃ）、ＢＤ６０の保護基板が薄くなった場合に発生する球面収差を補正できる。すなわち、複数の情報記録面を備えたＢＤ６０において、それぞれの情報記録面の保護基板の厚さに応じてカップリングレンズ５を移動させることにより球面収差を補正し、記録または再生性能を向上させることができる。
【００４８】
さらに、本実施の形態のカップリングレンズアクチュエータ３１は、図２に示したように、ＤＶＤ７０の記録または再生時は、カップリングレンズ５をミラー７側に移動させることによって、２波長光源１１から出射された赤色レーザ光を収束光として対物レンズ８に入射させる。一方、図３に示したように、ＣＤ８０の記録または再生時は、カップリングレンズ５を２波長光源１１側に移動させることによって、２波長光源１１から出射された赤外レーザ光を発散光として対物レンズ８に入射させる。
【００４９】
例えば、対物レンズ８に図６の構成を用いた場合を説明する。ここで、階段形状の回折構造を備えたホログラムレンズ８ｂ’の回折構造が図２３に示される構造が周期的に形成されている構造であるとする。図２３（ａ）は、基材上に形成した格子の物質的な形状を示している。（ｂ）は、青色光に対する位相変調量を示している。（ｃ）は、赤色光に対する位相変調量を示している。そしてさらに（ｄ）は、赤色光に対する位相変調量を示している。
【００５０】
（ａ）において縦方向は基材の光軸方向の厚さ、あるいは高さを示している。ｎｂは、青色光ビームに対する素子材料の屈折率である。素子材料を、例えば、ＢＫ７とすると、ｎｂ＝１．５３０２、ポリオレフィン系の樹脂ではｎｂ＝１．５２２程度のものがある。
【００５１】
１段差ｄ１は、青色光ビームに対して光路長差が約１．２５波長、すなわち位相差が約２π＋π／２になる量にする。例えば、単位段差ｄ１は基材が石英であればｄ１＝λ１／（ｎｂ−１）ｘ１．２５＝０．９６μｍとなる。
【００５２】
また、同様に樹脂であれば、ｄ１＝０．９７μｍとなる。
【００５３】
なお、小文字のｘを本願ではかけ算の記号として用いる。
【００５４】
図２３（ａ）は単位段差ｄ１によって生じる光路差が、青色波長λ１の１．２５倍であることを示している。単位段差ｄ１によって生じる光路差は、段差／（ｎｂ−１）なので、１．２５というのは段差／（ｎｂ−１）をλ１によって割り算した値である。（ｂ）、（ｃ）（ｄ）では単に、光路差／波長という形によって表記したが、整数部分を差し引いた以外は同様の意味である。
【００５５】
格子の高さ（レベル）をｄ１の整数倍にすると、この形状による青色光に対する位相変調量は２π＋π／２の整数倍となり、これは実質的に、図２３（ｂ）に示すように位相変調量が一段あたりπ／２であることになる。
【００５６】
一方赤色光ビームに対する素子材料の屈折率をｎｒとすると、素子材料がＢＫ７の場合は、ｎｒ＝１．５１４２、ポリオレフィン系の樹脂ではｎｒ＝１．５０５程度のものがある。段差ｄ１によって赤色光ビームに発生する光路長差は、基材が石英の場合も樹脂の場合もｄ１ｘ（ｎｒ−１）／λ２≒０．７５。すなわち、波長の約３／４倍となり、位相変調量は一段あたり約−π／２となる。
【００５７】
さらに赤外光ビームに対する素子材料の屈折率をｎｉとすると、素子材料がＢＫ７の場合は、ｎｉ＝１．５１、ポリオレフィン系の樹脂ではｎｉ＝１．５０１程度のものがある。段差ｄ１によって赤外光ビームに発生する光路長差は、基材が石英の場合も樹脂の場合もｄ１ｘ（ｎｉ−１）／λ３≒０．６２５。すなわち、波長の約２／３倍となり、位相変調量は一段あたり波長の−１／３倍と考えることができ、位相に置き換えると約−２π／３となる。
【００５８】
図２３（ａ）のように、格子の１段差をｄ１の整数倍にし、階段状の断面形状にすると、青色光ビームに対しては、１段差を重ねていくと、図２３（ｂ）のように位相変調量が一段あたりπ／２ずつ変化する。すなわち光路長差はλ１の＋１／４ずつ変化する。４段形成することにより位相が２π変化し、＋１次回折光の回折効率が約８０％と、計算（スカラー計算）され、回折次数の中で、最も強くなる。図２３（ａ）は８段重ねて一周期ｐ１を形成しているが、４段あたり位相が２π変化するので、青色光は周期ｐ２（ｐ２はｐ１の半分）の２周期を感じる。ｐ１の周期構造と捉えれば、青色光は＋２次回折光の回折効率が約８０％となって、最も強いことになる。
【００５９】
赤色光ビームに対しては、１段差を重ねていくと、図２３（ｃ）のように位相変調量が一段あたり−π／２ずつ変化する。すなわち光路長差はλ２の−１／４ずつ変化する。４段形成することにより位相が２π変化し、−１次回折光の回折効率が約８０％と、計算（スカラー計算）され、回折次数の中で、最も強くなる。図２３（ａ）は８段重ねて一周期ｐ１を形成しているが、４段あたり位相が−２π変化するので、赤色光は周期ｐ２（ｐ２はｐ１の半分）の２周期を感じる。ｐ１の周期構造と捉えれば、赤色光は−２次回折光の回折効率が約８０％となって、最も強いことになる。なお、回折次数が負であるのは、回折次数が正の場合とは逆方向に光が曲がることを意味している。
【００６０】
赤外光ビームに対しては青色の５波長、赤色の３波長分の段差は５λ３／２、つまり、２．５波長分の段差に当たるので、位相を変化させる。図２３（ｄ）に示すように周期ｐ１の中にあたかも３周期の周期構造があるように見えて、周期ｐ１の周期構造に対して−３次の回折効率が６０％程度発生し、すべての回折次数の中で最も強くなる。ここで、−３次回折光が強くなる理由は、単純に各段差が赤外光に与える位相を加えていくと理解できる。これを図２４を用いて説明する。図２４（ａ）は図２３（ａ）と同じであり、基材上に形成した格子の物質的な形状を示している。単純に各段差が赤外光に与える位相を加えていくと、位相変化は図２４（ｅ）のようになり、周期ｐ１を形成する７段８レベルの階段形状により、点線のような鋸歯形状が近似されていることがわかる。点線の鋸歯形状の高さは赤外光３波長に相当するため、−３次回折が強く生じる。同様に、周期ｐ１を形成する７段８レベルの階段形状により、青色光では、赤外光と逆の方向に青色光２波長の高さの鋸歯形状が近似されているので、＋２次回折光が強く生じる。赤色光では、赤外光と同じ方向に赤色光２波長の高さの鋸歯形状が近似されているので、−２次回折光が強く生じる。図２３（ａ）の断面形状を１周期とする回折格子の回折効率をスカラー計算によって計算した。その結果、回折効率は図２５のようになった。図２５において横軸は樹脂材料を素子材料としたときの１段差の実寸法、縦軸は回折効率である。縦の点線で示したあたりに段差を設定すれば、青色の＋２次回折光と、赤色の−２次回折光の回折効率は約８０％、赤外の−３次回折光の回折効率は約６０％であり、いずれも５０％を越えているので、他の次数より大きくなる。青色光、赤色光だけでなく、赤外光の回折効率も５０％以上にできたのは、図２３（ａ）の構造によるものである。各設計波長はλ１＝４０８ｎｍ、λ２＝６６０ｎｍ、λ３＝７８０ｎｍである。
【００６１】
この素子を用いた場合の、ＣＤ／ＤＶＤ／ＢＤの互換レンズを構成する例を図２６を用いて説明する。８ｂ’は回折型、あるいは位相段差型の光学素子であるが、屈折面を片面あるいは両面に形成しても良い。凹面の屈折面を形成し、青色光に対して凸レンズ型の回折素子あるいは位相段差素子と組み合わせてレンズパワーを相殺すると、光学素子８ｂ’全体として青色光の基準波長に対するレンズパワーをゼロにすることができる。そうすれば、光学素子８ｂ’と組み合わせて用いる屈折型の対物レンズ８ａ’を光ディスク６０の基材厚ｔ１を通して開口数ＮＡ１以上によって収束できるよう設計すればよいので、対物レンズ８ａ’の製造時の検査が容易にできるという効果がある。いずれにせよ、対物レンズ８ａ’は、波長λ１の青色光ビームを、光学素子８ｂ’によって変調した後さらに収束させて光ディスク６０の基材厚ｔ１を通して記録面６１上へ集光するように設計される。また、波長λ２の赤色光ビームを、光学素子８ｂ’の回折格子や位相型光学素子によって変調した後さらに収束させて光ディスク７０の基材厚ｔ２を通して記録面７１上へ集光するように設計される。さらに、波長λ３の赤外光ビームも、光学素子８ｂ’によって変調した後さらに収束させて光ディスク８０の基材厚ｔ３を通して記録面８１上へ集光するように設計される。各波長の光ビームは波長の違いと、前述した回折次数の違い、あるいは、位相段差から与えられる位相の違い、そして、屈折型対物レンズの波長に依存する屈折率の違い（分散）を利用して、異なる厚さの基材厚を通したときに収束できるように設計できる。
【００６２】
ＣＤとＤＶＤとＢＤはそれぞれ光を収束する際に適した開口数ＮＡが異なる。ＢＤに適した開口数ＮＡ１は０．８５以上である。ＤＶＤに適した開口数ＮＡ２は０．６〜０．６７程度である。ＣＤに適した開口数ＮＡ３は０．４５〜０．５５程度である。これらより開口数が小さければ光ビームを記録面上において十分に小さく絞ることができない。また、これらより開口数が大きすぎれば、光ディスクが変形して傾いた場合等に大きな波面の乱れが生じ、安定な情報記録や再生に適さない。ＮＡ３を、ＮＡ２やＮＡ１に比べて小さくするため、光学素子８ｂ’には光軸を中心とした同心円状の領域を３カ所設ける。最内周の領域８ｂ’に上述の実施の形態で述べた、回折素子、あるいは位相段差を形成する。最内周領域８ｂ’−Ｃに入射した赤外光ビーム８２は点線のように約１．２ｍｍの透明基材を通して情報記録面８１上に収束される。最内周領域８ｂ’−Ｃおよび外側に設けた中周領域８ｂ’−Ｂに入射した赤色光ビーム７２は約０．６ｍｍの透明基材を通して情報記録面７１上に収束される。最内周領域８ｂ’−Ｃおよび外側に設けた中周領域８ｂ’−Ｂそしてさらに外側に設けた外周領域８ｂ’−Ｆに入射した青色光ビーム７２は約０．１ｍｍの透明基材を通して情報記録面６１上に収束される。
【００６３】
このように最内周領域８ｂ’−Ｃは赤外光のＣＤ、赤色光のＤＶＤ、青色光のＢＤすべてに兼用する領域である。最も短波長の青色光は屈折対物レンズ８ａ’の分散が大きい上に、焦点深度が浅いので軸上色収差の補正を行うことが望ましい。軸上色収差の補正は、光学素子８ｂ’の回折素子部分を凸レンズ作用を持つように設計することよって実現できる。上述の実施の形態の回折素子構造を用いれば、赤外色光（点線）や赤色光（２点鎖線）では、青色光の場合とは逆の作用を受けるので、凹レンズ作用が発揮され、焦点距離が長くなる。特に赤外光は赤色光より波長が長いために凹レンズ作用を強く受ける。このため、焦点距離は青色より赤色、赤色より赤外光が長くなる。そして、赤色光や赤外光の焦点位置をより対物レンズ８ａ’から遠くへ移動することができて、光ディスク７０や８０の厚い基材を通して焦点を結ぶことができる。つまり、対物レンズ８ａ’表面と光ディスク７０や８０の表面との間隔、すなわち作動距離（ワーキングディスタンス：ＷＤ）を確保できるという効果がある。この構成の対物レンズを用いた本実施の形態の光ピックアップ４０は、図１から図３に示すように、ＤＶＤ７０の記録または再生時にはカップリングレンズ５をミラー７側に移動させ対物レンズ８に収束光を入射し、ＣＤ８０の記録または再生時にはカップリングレンズ５を２波長光源１１側に移動させ対物レンズ８に発散光を入射させた場合に、情報記録面に集光される光スポットの球面収差が最も小さくなる構成である。
【００６４】
このようにカップリングレンズアクチュエータ３１を用いることで、光源１から出射された青紫レーザ光と、２波長光源１１から出射された赤色レーザ光および赤外レーザ光を、それぞれ平行光、収束光あるいは発散光で対物レンズ８に入射させることができ、それぞれの光源の波長、および対応する光ディスクの保護基板厚の違いによって生じる球面収差を効果的に補正できる。なお、それぞれの光源から出射されたレーザ光を、平行光、収束光あるいは発散光のうち、いずれの状態で対物レンズ８に入射させるかは、対物レンズ８の設計に因るものであって、青紫レーザ光を略平行光、赤色レーザを収束光、赤外レーザ光を発散光とする本実施の形態の組み合わせに限定されるものではない。
【００６５】
なお、本実施の形態の構成においては、カップリングレンズアクチュエータ３１の可動距離Ｌａ、すなわちカップリングレンズ５の移動範囲は図２７に示すように、ＤＶＤ７０の記録または再生時のカップリングレンズ５の位置と、ＣＤ８０の記録または再生時のカップリングレンズ５の位置とがそれぞれ両端である。ここで、ＢＤ６０における情報記録面の保護基板の厚さに応じた球面収差を補正するための、カップリングレンズ５の移動距離Ｌｂはカップリングレンズアクチュエータ３１の可動距離Ｌａの間に収めている。このような構成とすることで、カップリングレンズアクチュエータの可動距離を小さくできるため、光ピックアップ全体を小型化することができるといった効果がある。
【００６６】
次に、カップリングレンズの可動範囲の一例を示す。対物レンズ８の青色光に対する焦点距離が略１．８ｍｍ、赤色光に対する焦点距離が略２．０ｍｍ、赤外光に対する焦点距離が略２．１ｍｍである互換対物レンズであり、カップリングレンズ５の青色光に対する焦点距離が略１１ｍｍであるとする。ここで、青色光使用時にカップリングレンズ５が基準位置にある、すなわちカップリングレンズ５の青色出射光が平行光であるときは、ＢＤ６０の保護基板厚みが略０．０８７５ｍｍで情報記録面上の光スポットの球面収差が最小であるとする。このとき、ＢＤ６０の保護基板厚みが略０．０７５ｍｍの時に情報記録面上の光スポットの球面収差を最小にするには、カップリングレンズ５をミラー７側に略０．２５ｍｍシフトさせることで可能である。また、ＢＤ６０の保護基板厚みが略０．１ｍｍの時に情報記録面上の光スポットの球面収差を最小にするには、カップリングレンズ５を光源１側に略０．２５ｍｍシフトさせることで可能である。一方で、保護基板厚みが略０．６ｍｍであるＤＶＤ７０の記録または再生を行うために赤色光使用時には、カップリングレンズ５を基準位置からミラー７側に略２．５ｍｍ移動させることで、情報記録面上の光スポットの球面収差が最小となる。また、保護基板厚みが略１．２ｍｍであるＣＤ８０の記録または再生を行うために赤外光使用時には、カップリングレンズ５を基準位置から２波長光源１１側に略１．５ｍｍ移動させることで、情報記録面上の光スポットの球面収差が最小となる。すなわち、カップリングレンズ５の可動距離は基準位置から２波長光源１１側に略１．５ｍｍ、基準位置から対物レンズ８側に略２．５ｍｍであり、例えばＢＤ６０の２層ディスクの記録または再生をする場合のカップリングレンズ５の必要移動距離は基準位置から光源１側にも対物レンズ８側にも略０．２５ｍｍあればよく、十分カップリングレンズ５の可動距離内に収まっている。
【００６７】
なお、ＢＤ６０の記録または再生時に補正可能な球面収差量は十分に大きいので、保護基板厚の取りうる範囲が大きい（例えば３つ以上の情報記録面を備えた）次世代のＢＤにも対応可能である。
【００６８】
ここで示した例はあくまで一例であり、単一の対物レンズ８と単一のカップリングレンズ５を用いてＢＤ、ＤＶＤ、ＣＤの記録または再生に対応する構成において、ＤＶＤ使用時には対物レンズ８には赤色の収束光を入射かつＣＤ使用時には対物レンズ８には赤外の発散光を入射させるか、ＤＶＤ使用時には対物レンズ８には赤色の発散光を入射かつＣＤ使用時には対物レンズ８には赤外の終息光を入射させる構成であり、ＢＤ使用時には対物レンズ８に略平行光を入射させる構成であれば、本実施の形態の効果が得られる物である。
【００６９】
なお、カップリングレンズ５を光軸方向に移動するカップリングレンズアクチュエータの構成は、図８のようなステッピングモータ３２を用いた構成に限定されるものではなく、例えば、磁気回路や圧電素子の駆動によるアクチュエータ等、いかなる構成であっても良い。図８に示したステッピングモータ３２を用いた構成では、カップリングレンズ５の光軸方向の位置をモニタする必要がなくシステムを簡素化でき、一方、磁気回路や圧電素子の駆動によるアクチュエータは駆動部分が小さいため、光ピックアップの小型化に適している。
【００７０】
次に、本発明の平板ビームスプリッタ２およびウェッジプリズム４について詳細に説明を行う。
【００７１】
平板ビームスプリッタ２は、波長４０５ｎｍ近傍の青紫レーザ光に対して、Ｓ偏光を概ね反射し、Ｐ偏光を概ね透過するように膜設計されている。また、波長６６０ｎｍ近傍の赤色レーザ光および波長７８５ｎｍ近傍の赤外レーザ光に対して、偏光方向に因らず、ほぼ透過するように膜設計されている。
【００７２】
本実施の形態の光ピックアップ４０では、ＢＤ６０を記録するための青紫レーザ光は、光源１から平板ビームスプリッタ２に対してＳ偏光で入射させる。従って、往路の効率を確保するために、平板ビームスプリッタ２のＳ偏光反射率を大きくすることが望ましい。ここで、Ｓ偏光が屈折率の異なる物質の境界面で反射される場合に全反射となる入射角（ブリュースター角）θは、以下の（式１）で表される。
【００７３】
θ＝Ａｒｃｔａｎ（ｎ２／ｎ１）                                      （式１）
ｎ１は空気の屈折率、ｎ２は平板ビームスプリッタ２の屈折率である。
【００７４】
例えば、平板ビームスプリッタ２の材質をＢＫ７とし、波長４０５ｎｍにおける屈折率ｎ２＝１．５３０とすると、θ＝５６．８３°である。これは、平板ビームスプリッタ２のＳ偏光反射率を大きくするためには、平板ビームスプリッタ２に対する青紫レーザ光の入射角θ１をブリュースター角θ＝５６．８３°に近づければよいことを示している。一方、入射角θ１がブリュースター角θを超えても、全反射以上の反射率を得ることはできない。ここで入射角θ１が大きくなるほど、平板ビームスプリッタ２を透過して受光素子２０で検出されるレーザ光に生じる非点収差が大きくなる。従って、入射角θ１をブリュースター角θ以上にすることは好ましくない。すなわち、
θ１＜Ａｒｃｔａｎ（ｎ２／ｎ１）      ［ｒａｄ］                    （式２）
であることが好ましい。
【００７５】
図１０に本実施の形態の平板ビームスプリッタ２の分光特性を示す。図１０において、横軸は平板ビームスプリッタ２に入射するレーザ光の波長を示し、縦軸は該波長における透過率を示している。なお、平板ビームスプリッタ２への入射角θ１は５０°である。図１０より、波長４０５ｎｍ近傍の青紫レーザ光に対して、Ｓ偏光の反射率は約８０％、透過率は約２０％、Ｐ偏光の透過率は約９０％である。一方、波長６６０ｎｍ近傍の赤色レーザ光および波長７８５ｎｍ近傍の赤外レーザ光に対しては、偏光方向に因らず、透過率がほぼ９５％となっている。
【００７６】
次に、ウェッジプリズム４は、波長６６０ｎｍ近傍の赤色レーザ光および波長７８５ｎｍ近傍の赤外レーザ光に対して、一部を透過、一部を反射するように膜設計されている。また、波長４０５ｎｍ近傍の青紫レーザ光に対して、偏光方向に因らず、ほぼ反射するように膜設計されている。
【００７７】
図１１に本実施の形態のウェッジプリズム４の分光特性を示す。図１１において、横軸はウェッジプリズム４に入射するレーザ光の波長を示し、縦軸は該波長における透過率を示している。なお、ウェッジプリズム４への入射角θ３は４０°である。図１１より、波長６６０ｎｍ近傍の赤色レーザ光および波長７８５ｎｍ近傍の赤外レーザ光に対して、Ｐ偏光の透過率は約６０％、Ｓ偏光の透過率は約５０％、反射率は約５０％である。一方、波長４０５ｎｍ近傍の青紫レーザ光に対しては、偏光方向に因らず、反射率はほぼ９５％となっている。
【００７８】
本実施の形態の平板ビームスプリッタ２およびウェッジプリズム４は、それぞれ図１０および図１１に示した分光特性を有しているので、ＢＤ６０を記録または再生するための青紫レーザ光において、平板ビームスプリッタ２に対してＳ偏光反射となる往路の光利用効率および平板ビームスプリッタ２に対してＰ偏光透過となる復路の光利用効率をいずれも高くすることができる。
【００７９】
一方、ＤＶＤ７０およびＣＤ８０を記録または再生するための赤色レーザ光および赤外レーザ光においては、ウェッジプリズム４に対してＰ偏光透過となる往路の光利用効率およびウェッジプリズム４に対してＳ偏光反射となる復路の光利用効率を比較的高くすることができる。さらに、ウェッジプリズム４のＳ偏光反射率とＰ偏光反射率の差、および平板ビームスプリッタ２のＳ偏光透過率とＰ偏光透過率の差が小さいので、光ディスクの複屈折による信号光量（受光素子２０で検出される受光量）の変動を抑制することができる。
【００８０】
ところで、２波長光源１１から出射された赤色レーザ光と赤外レーザ光は発散光であるため、光軸に対して傾斜した平行平板を透過すると非点収差とコマ収差が発生し、対物レンズ８によって収束される光ディスク上の光スポットは十分な性能が得られない。そこで本実施の形態のウェッジプリズム４は、図１２に示すように、入射面４ａと出射面４ｂの間に所定の角度（頂角α）を設け、その頂角αとウェッジプリズム４へのそれぞれのレーザ光の入射角（θ２、θ３）を所定の角度に規定している。例えば、本実施の形態のウェッジプリズム４は、
ウェッジプリズム４の硝材：ＢＫ７
ウェッジプリズム４の頂角α＝０．９°
ウェッジプリズム４の中央部の厚みＴ＝１．０ｍｍ
赤色レーザ光の入射角θ２＝４２．２°
赤色レーザ光の出射角θ３＝４０．６°
としたので、ウェッジプリズム４を透過した赤色レーザ光を、カップリングレンズ５および対物レンズ８で収束したときの３次非点収差と３次コマ収差は共に略ゼロとなる。
【００８１】
本発明の光ピックアップは、図１２に示すように、光源１から出射された青紫レーザ光の光軸を光軸Ａ、２波長光源１１から出射された赤色レーザ光の光軸を光軸Ｂ、平板ビームスプリッタ２に対する青紫レーザ光の主光線の入射角（＝出射角）をθ１、ウェッジプリズム４に対する青紫レーザ光の主光線の入射角（＝出射角）θ３は、それぞれ、
π／４＜θ１＜Ａｒｃｔａｎ（ｎ２／ｎ１）      ［ｒａｄ］              （式３）
π／４＞θ３                                  ［ｒａｄ］              （式４）
としているので、光軸Ａと光軸Ｂのなす角βは、
β＝２×（θ１−θ３）≠０
となる。例えば、本実施の形態においては、θ１＝５０°、θ３＝４０．６°としたので、β＝１８．８°となる。すなわち、光軸Ａと光軸Ｂが平行ではなく、所定の角度をなしているため、光源１と２波長光源１１の間隔よりも、平板ビームスプリッタ２とウェッジプリズム４の間隔を小さくすることができ、光学素子をコンパクトに配置することができるので、光ピックアップを小型化することができる。
【００８２】
上述したように、平板ビームスプリッタ２におけるＳ偏光反射率は、入射角θ１がブリュースター角θに近づくほど大きくなる。従って、本実施の形態のように、平板ビームスプリッタ２に対して発散光を入射させる場合は、周辺光線は主光線とは異なる入射角となる。例えば図１３に示すように、光源１から出射された青紫レーザ光は、１点鎖線で示した主光線に対して（Ｍ）側の光線の入射角が大きくなるため反射率が大きくなり、主光線に対して（Ｎ）側の光線は入射角が小さくなるため反射率が小さくなる。従って、平板ビームスプリッタ２で反射される前の青紫レーザ光のファーフィールドパターン（遠視野像、ＦＦＰ）の光量分布に対し、平板ビームスプリッタ２で反射された後のＦＦＰの光量分布は、光軸に対して非対称になる。この光量分布の非対称性は、平板ビームスプリッタ２に入射するレーザ光のＮＡに依存し、平板ビームスプリッタ２に入射するレーザ光のＮＡが小さいほど、主光線と光線（Ｍ）および光線（Ｎ）の入射角の差が小さくなるので、光量分布の非対称性が抑制される。
【００８３】
本実施の形態の光ピックアップ４０は、凹レンズのパワーを備えたリレーレンズ３を平板ビームスプリッタ２とウェッジプリズム４の間に配置してＮＡ変換を行っている。このようにリレーレンズ３を配置した場合、リレーレンズ３を光源１と平板ビームスプリッタ２の間に配置した場合と比較して、平板ビームスプリッタ２に入射する青紫レーザ光のＮＡが相対的に小さくなり、光量分布の非対称性を抑制できる。
【００８４】
さらに、リレーレンズ３を平板ビームスプリッタ２とウェッジプリズム４の間に配置したので、リレーレンズ３を光源１と平板ビームスプリッタ２の間に配置した場合と比較して、リレーレンズ３に照射される青紫レーザ光の単位面積当たりのレーザ光量が相対的に小さくなる。従って、ガラス材料と比較して青紫レーザ光の照射に対する耐性は低いが安価に成形できる樹脂材料を、リレーレンズ３の材料として使用することが容易となる。
【００８５】
なお、記録または再生の対象となる情報記録面に隣接する別の情報記録面からのクロストークを低減するため、検出倍率を大きく設定したい場合であっても、本実施の形態の光ピックアップ４０は、凹レンズのパワーを備えたリレーレンズ３がカップリングレンズと検出レンズ１０の間に配置されているので、検出レンズ１０に大きな凹レンズパワーを必要としない。従って、検出レンズ１０の曲率半径を大きくでき、検出レンズ１０を安価に成形することができる。
【００８６】
ところで図１３に示した光線（Ｍ）は、ＢＤ６０で反射して平板ビームスプリッタ２を透過するときは、主光線に対して入射角が小さくなるため透過率が大きくなり、光線（Ｎ）は、ＢＤ６０で反射して平板ビームスプリッタ２を透過するときは、主光線に対して入射角が大きくなるため透過率が小さくなる。すなわち青紫レーザ光の光量分布は、ＢＤ６０の情報記録面に光スポットとして収束されるときも、ＢＤ６０の情報記録面で反射して受光素子２０で検出されるときも、常に光線（Ｍ）側の光量が大きくなる方向に非対称となる。このような光量分布の非対称性を抑制するため、例えば、図１３に破線で示したように、ＦＦＰの光量分布が均等になる方向に、予め光源１Ｂを所定角度傾けておくことが好ましい。
【００８７】
本実施の形態のＢＤ６０は、光ディスクの半径方向のリム強度が大きい光スポットを収束させることで、良好な記録または再生性能が得られる。
【００８８】
本実施の形態の平板ビームスプリッタ２は、波長４０５ｎｍ近傍の青紫レーザ光に対して、Ｓ偏光を概ね反射し、Ｐ偏光を概ね透過するように膜設計されている（図１０参照）。ここで、本実施の形態の光ピックアップ４０は、図１のようにＳ偏光が平板ビームスプリッタ２に入射するよう、すなわち平板ビームスプリッタ２での反射率が大きくなるように光源１を配置することで、光ディスク半径方向のリム強度が大きいＦＦＰが得られるので、青紫レーザ光の偏光方向を回転させるための１／２波長板を必要としない。
【００８９】
一方、本実施の形態のＤＶＤ７０は、光ディスクの接線方向のリム強度が大きい光スポットを収束させることで、良好な記録または再生性能が得られる。
【００９０】
本実施の形態のウェッジプリズム４は、波長６６０ｎｍ近傍の赤色レーザ光に対して、Ｐ偏光をより透過させ、Ｓ偏光をより反射するように膜設計されているの（図１１参照）。ここで、本実施の形態の光ピックアップ４０は、図２のようにＰ偏光がウェッジプリズム４に入射するよう、すなわちウェッジプリズム４での透過率が大きくなるように２波長光源１１を配置することで、光ディスク接線方向のリム強度が大きいＦＦＰが得られるので、赤色レーザ光の偏光方向を回転させるための１／２波長板を必要としない。
【００９１】
ところで、一般的な２波長光源１１は、図１４に示すように、赤色レーザ光の発光点１１ａに対し、赤外レーザ光の発光点１１ｂがオフセットして配置されている。このため、赤色レーザ光と赤外レーザ光の少なくとも一方は対物レンズ８に対して軸外入射となるため、３次コマ収差が発生する場合がある。
【００９２】
ここで本実施の形態の光ピックアップ４０は、２波長光源１１をウェッジプリズム４に対してＰ偏光入射となるように配置したので、例えば、赤色レーザ光の光軸と対物レンズ８の光軸が一致するように２波長光源１１を配置した場合、赤外レーザ光が対物レンズ８に対して軸外入射となることによって発生する３次コマ収差は、光ディスクの半径方向に発生する。従って、対物レンズアクチュエータ３０に搭載された対物レンズ８を半径方向に傾けることで、軸外入射によって発生する赤色レーザ光の３次コマ収差を補正することが可能である。
【００９３】
一般的に、軸外入射によって発生する３次コマ収差は、対物レンズ８に入射する光線の角度（画角）に略比例する。従って、赤色レーザ光と赤外レーザ光の発光点の間隔δおよび対物レンズの焦点距離を一定とすると、３次コマ収差はカップリングレンズの（合成）焦点距離に反比例する。従って、図１５に示すように、カップリングレンズ５と２波長光源１１の間に、凹のパワーを備えたリレーレンズ１３を挿入し、合成焦点距離を拡大することで、軸外入射による３次コマ収差を抑制することができる。
【００９４】
一方、軸外入射による３次コマ収差が比較的小さい対物レンズを用いる場合は、凸のパワーを備えたリレーレンズを用いて合成焦点距離を小さくし、光利用効率を高めることが可能である。
【００９５】
リレーレンズは、回折格子１２と一体化することで、部品点数を削減することができる。この時、リレーレンズの入射面あるいは出射面のいずれか１面を平面にして、平面側に回折格子を形成することで、レンズ成形用の金型の作成を容易にすることができる。なお、リレーレンズと２波長光源１１との間隔が変わると倍率が変化し、回折格子を一体化した場合は生成されるメインビームとサブビームの間隔も変化するので、リレーレンズと２波長光源１１は一体のホルダに挿入されて、間隔が変化しないように構成することが好ましい。
【００９６】
なお、本実施の形態においては、２波長光源１１から赤色レーザ光と赤外レーザ光が、出射される場合について説明を行ったが、それぞれ別体の赤色レーザ光源と赤外レーザ光源を備えてもよい。赤色レーザ光源と赤外レーザ光源を別々に備えることで、赤色レーザ光と赤外レーザ光の光軸を一致させることができるので、軸外入射によるコマ収差を抑制できる。
【００９７】
以上のように、本実施の形態の光ピックアップ４０は、それぞれ異なる種類の光ディスク、例えばＢＤ６０、ＤＶＤ７０およびＣＤ８０に対して、それぞれ異なる波長のレーザ光を一つの対物レンズ８を用いて収束させて情報の記録または再生を行うことができる。
【００９８】
（実施の形態２）
図１６および図１７は本発明の別の実施の形態における光ピックアップの概略構成図である。本実施の形態において、実施の形態１と共通の構成要素については同一の符号を付して以下、その説明を省略する。
【００９９】
図１６において、７Ｄは第１のミラー、７Ｂは第２のミラー、８Ｄは第１の対物レンズ、８Ｂは第２の対物レンズであり、これらが光ピックアップ４１を構成している。
【０１００】
ＢＤ６０に対して、情報の記録または再生を行う光ピックアップ４１の動作について述べる。光源１から出射された波長４０５ｎｍの青紫レーザ光は、平板ビームスプリッタ２にＳ偏光で入射する。平板ビームスプリッタ２で反射された青紫レーザ光は、リレーレンズ３を透過して、ＮＡの異なる発散光に変換される。青紫レーザ光は、ウェッジプリズム４で反射された後、カップリングレンズ５で略平行光に変換され、１／４波長板６によって直線偏光が円偏光に変換される。続いて、第１のミラー７Ｄを透過し、第２のミラー７Ｂで反射された後、第２の対物レンズ８Ｂによって、保護基板越しにＢＤ６０の情報記録面に光スポットとして収束される。
【０１０１】
ＢＤ６０の情報記録面で反射した青紫レーザ光は、再び第２の対物レンズ８Ｂを透過し、第２のミラー７Ｂで反射され、第１のミラー７Ｄを透過し、１／４波長板６で往路とは異なる直線偏光に変換された後、カップリングレンズ５で収束光に変換され、ウェッジプリズム４で反射されて、リレーレンズ３でＮＡの異なる収束光に変換される。さらに青紫レーザ光は、平板ビームスプリッタ２にＰ偏光で入射して透過し、検出ホログラム９を透過する際に、０次光と±１次回折光が生成され、検出レンズ１０で非点収差が与えられて、受光素子２０に導かれる。
【０１０２】
次に、図１６を用いて保護基板厚０．６ｍｍの光ディスクであるＤＶＤ７０の記録または再生を行う場合について述べる。
【０１０３】
図１６において、２波長光源１１から出射された波長６６０ｎｍの赤色レーザ光は、回折格子１２で０次回折光であるメインビームと±１次回折光であるサブビームに分離された後、ウェッジプリズム４にＰ偏光で入射する。ウェッジプリズム４を透過した赤色レーザ光は、カップリングレンズ５で若干の収束光に変換され、１／４波長板６によって直線偏光が円偏光に変換され、第１のミラー７Ｄで反射された後、第１の対物レンズ８Ｄによって、保護基板越しにＤＶＤ７０の情報記録面に光スポットとして収束される。
【０１０４】
ＤＶＤ７０の情報記録面で反射した赤色レーザ光は、再び第１の対物レンズ８Ｄを透過し、第１のミラー７Ｄで反射され、１／４波長板６で往路とは異なる直線偏光に変換された後、カップリングレンズ５で収束光に変換される。赤色レーザ光はウェッジプリズム４にＳ偏光で入射して反射され、リレーレンズ３でＮＡの異なる収束光に変換されて、平板ビームスプリッタ２と検出ホログラム９を透過し、検出レンズ１０で非点収差が与えられた後、受光素子２０に導かれる。２波長光源１１から出射された波長７８５ｎｍ、Ｐ偏光の赤外レーザ光は、同様に第１の対物レンズ８Ｄによって、保護基板越しにＣＤ８０の情報記録面に光スポットとして収束され、さらにＣＤ８０の情報記録面で反射した赤色レーザ光は、同様に受光素子２０に導かれる。
【０１０５】
第１の対物レンズ８Ｄは、ＤＶＤ７０を記録または再生するための赤色レーザ光、ＣＤ８０を記録または再生するための赤外レーザ光を、波長の差を利用してそれぞれ微小な光スポットとして収束することができ、第２の対物レンズ８Ｂは、ＢＤ６０を記録または再生するための青紫レーザ光を、微小な光スポットとして収束することができる。第１の対物レンズ８Ｄと第２の対物レンズ８Ｂは、同一の対物レンズアクチュエータ（図示せず）に搭載され、フォーカス誤差信号とトラッキング誤差信号を用いて、それぞれ、回転する光ディスクの情報トラックに光スポットが追従するよう駆動される。
【０１０６】
本実施の形態の光ピックアップ４１も、実施の形態１で述べた光ピックアップ４０と同様に、それぞれ異なる種類の光ディスク、例えばＢＤ６０、ＤＶＤ７０およびＣＤ８０に対して、それぞれ異なる波長のレーザ光を収束させて情報の記録または再生を行うことができる。
【０１０７】
また、カップリングレンズアクチュエータの可動範囲についても、例えばＤＶＤ７０使用時は第１の対物レンズ８Ｄに収束光が入射する構成で、ＣＤ８０使用時は第１の対物レンズ８Ｄに発散光が入射する構成で、ＢＤ６０使用時は第２の対物レンズ８Ｂに略平行光が入射する構成である等、単一のカップリングレンズで異なる保護基板厚みのディスクに対応する場合においては、カップリングレンズアクチュエータ３１は実施の形態１と同様の構成が可能で、効果も同様に得られる物である。
【０１０８】
（実施の形態３）
図１８は本発明の一実施の形態における光ディスク装置の概略構成図である。
【０１０９】
図１８において、５０は光ディスク装置を表しており、光ディスク装置５０の内部に光ディスク駆動部５１、制御部５２、光ピックアップ５３を備える。また６０はＢＤであるが、ＤＶＤ７０あるいはＣＤ８０に交換可能である。
【０１１０】
光ディスク駆動部５１はＢＤ６０（またはＤＶＤ７０、ＣＤ８０）を回転駆動する機能を有し、光ピックアップ５３は実施の形態１または実施の形態２で述べたいずれかの光ピックアップである。制御部５２は光ディスク駆動部５１と光ピックアップ５３の駆動および制御を行う機能を有すると共に、光ピックアップ５３で受光された制御信号、情報信号の信号処理を行う機能と、情報信号を光ディスク装置５０の外部と内部でインタフェースさせる機能を有する。
【０１１１】
光ディスク装置５０は、実施の形態１または実施の形態２で述べたいずれかの光ピックアップを搭載しているので、本実施の形態における光ディスク装置５０は、複数の光源に対応した複数種類の光ディスクを、それぞれ良好に記録または再生を行なうことができる。
【０１１２】
（実施の形態４）
図１９は本発明の一実施の形態におけるコンピュータの概略構成図である。
【０１１３】
図１９において、コンピュータ５００は、実施の形態３の光ディスク装置５０と、情報の入力を行うためのキーボードあるいはマウス、タッチパネルなどの入力装置５０１と、入力装置５０１から入力された情報や、光ディスク装置５０から読み出した情報などに基づいて演算を行う中央演算装置（ＣＰＵ）などの演算装置５０２と、演算装置５０２によって演算された結果などの情報を表示するブラウン管や液晶表示装置、プリンタなどの出力装置５０３を備える。
【０１１４】
コンピュータ５００は、実施の形態３の光ディスク装置５０を備えるので、異なる種類の光ディスクを、それぞれ良好に記録または再生を行なうことができるため、広い用途に適用できる効果を有する。
【０１１５】
（実施の形態５）
図２０は本発明の一実施の形態における光ディスクプレーヤの概略構成図である。
【０１１６】
図２０において、光ディスクプレーヤ６００は、実施の形態３の光ディスク装置５０と、光ディスク装置５０から得られる情報信号を画像信号に変換する情報から画像への変換装置（例えばデコーダ６０１）を備える。
【０１１７】
なお、本光ディスクプレーヤ６００は、ＧＰＳ等の位置センサーや中央演算装置（ＣＰＵ）を加えることによりカーナビゲーションシステムとしても利用可能である。また、液晶モニタなどの表示装置６０２を加えた形態も可能である。
【０１１８】
光ディスクプレーヤ６００は、実施の形態３の光ディスク装置５０を備えるので、異なる種類の光ディスクを、それぞれ良好に再生できるため、広い用途に適用できる効果を有する。
【０１１９】
（実施の形態６）
図２１は本発明の一実施の形態における光ディスクレコーダの概略構成図である。
【０１２０】
図２１において、光ディスクレコーダ７００は、実施の形態３の光ディスク装置５０と、画像情報を光ディスク装置５０によって光ディスクへ記録する情報信号に変換する画像から情報への変換装置（例えばエンコーダ７０１）を備える。望ましくは、光ディスク装置５０から得られる情報信号を画像情報に変換する情報から画像への変換装置（デコーダ７０２）も備えることにより、記録した画像を再生することも可能となる。なお情報を表示するブラウン管や液晶表示装置、プリンタなどの出力装置７０３を備えてもよい。
【０１２１】
光ディスクレコーダ７００は、実施の形態３の光ディスク装置５０を備えるので、異なる種類の光ディスクを、それぞれ良好に記録または再生を行なうことができるため、広い用途に適用できる効果を有する。
【産業上の利用可能性】
【０１２２】
本発明の光ピックアップは、複数種類の光ディスクに対して、それぞれ良好に記録または再生が可能である。また、光ピックアップの構成が簡単化されるため、生産性の向上が達成されるとともに、安価に光ディスク装置を提供できる。
【０１２３】
さらに、本発明の光ディスク装置を備えたコンピュータ、光ディスクプレーヤ、光ディスクレコーダは、異なる種類の光ディスクを、それぞれ良好に記録または再生を行なうことができるため、広い用途に適用できる効果を有する。
【図面の簡単な説明】
【０１２４】
【図１】本発明の実施の形態１において、ＢＤを記録または再生する場合の光ピックアップの概略構成図
【図２】本発明の実施の形態１において、ＤＶＤを記録または再生する場合の光ピックアップの概略構成図
【図３】本発明の実施の形態１において、ＣＤを記録または再生する場合の光ピックアップの概略構成図
【図４】検出ホログラムの光束分割パターンを模式的に示す図
【図５】対物レンズの構成を模式的に示す図
【図６】別の対物レンズの構成を模式的に示す図
【図７】対物レンズアクチュエータの動作を模式的に示す図
【図８】カップリングレンズアクチュエータの構成を模式的に示す図
【図９】カップリングレンズアクチュエータの機能を模式的に示す図
【図１０】本発明の平板ビームスプリッタの分光特性を示す図
【図１１】本発明のウェッジプリズムの分光特性を示す図
【図１２】本発明における光源から出射された青紫レーザ光の光軸と２波長光源から出射された赤色レーザ光の光軸を光軸のなす角および平板ビームスプリッタとウェッジプリズムへの入射角を示す図
【図１３】本発明における平板ビームスプリッタの反射率の入射角依存性と、光源の配置を説明する図
【図１４】２波長レーザ光源の発光点の様子を模式的に示す図
【図１５】本発明の実施の形態１において、リレーレンズを用いた光ピックアップの概略構成図
【図１６】本発明の実施の形態２において、ＢＤを記録または再生する場合の光ピックアップの概略構成図
【図１７】本発明の実施の形態２において、ＤＶＤを記録または再生する場合の光ピックアップの概略構成図
【図１８】本発明の実施の形態３における光ディスク装置の概略構成図
【図１９】本発明の実施の形態４におけるコンピュータの概略構成図
【図２０】本発明の実施の形態５における光ディスクプレーヤの概略構成図
【図２１】本発明の実施の形態６における光ディスクレコーダの概略構成図
【図２２】従来の互換性を有する光ピックアップの概略構成図
【図２３】ホログラムレンズの階段形状の回折構造を示す図
【図２４】ホログラムレンズの階段形状の回折構造を示す図
【図２５】回折格子の回折効率を示す図
【図２６】光学素子を用いた場合の、ＣＤ／ＤＶＤ／ＢＤの互換レンズを構成する例を示す図
【図２７】カップリングレンズアクチュエータの移動範囲を示す図
【符号の説明】
【０１２５】
１    光源
２    平板ビームスプリッタ
３    リレーレンズ
４    ウェッジプリズム
５    カップリングレンズ
６    １／４波長板
７，７Ｄ，７Ｂ    ミラー
８，８Ｄ，８Ｂ    対物レンズ
９    検出ホログラム
１０    検出レンズ
１１    ２波長光源
１２    回折格子
１３    リレーレンズ
２０    受光素子
３０    対物レンズアクチュエータ
３１    カップリングレンズアクチュエータ
３２    ステッピングモータ
３３    スクリューシャフト
３４    主軸
３５    副軸
３６    レンズホルダ
４０，４１    光ピックアップ
５０    光ディスク装置
５１    光ディスク駆動部
５２    制御部
５３    光ピックアップ
６０    ＢＤ
７０    ＤＶＤ
８０    ＣＤ
１０１    第１の光源
１０２    第１の平板ビームスプリッタ
１０３    第１の補助レンズ
１０４    第２の平板ビームスプリッタ
１０５    カップリングレンズ
１０７    ミラー
１０８    対物レンズ
１１０    検出レンズ
１１１    第２の光源
１１２    第２の補助レンズ
１２０    受光素子
１４０    光ピックアップ
５００    コンピュータ
５０１    入力装置
５０２    演算装置
５０３    出力装置
６００    光ディスクプレーヤ
６０１    デコーダ
６０２    表示装置
７００    光ディスクレコーダ
７０１    エンコーダ
７０２    デコーダ
７０３    出力装置
【図１】
2011165224.tif 000003
【図２】
2011165224.tif 000004
【図３】
2011165224.tif 000005
【図４】
2011165224.tif 000006
【図５】
2011165224.tif 000007
【図６】
2011165224.tif 000008
【図７】
2011165224.tif 000009
【図８】
2011165224.tif 000010
【図９】
2011165224.tif 000011
【図１０】
2011165224.tif 000012
【図１１】
2011165224.tif 000013
【図１２】
2011165224.tif 000014
【図１３】
2011165224.tif 000015
【図１４】
2011165224.tif 000016
【図１５】
2011165224.tif 000017
【図１６】
2011165224.tif 000018
【図１７】
2011165224.tif 000019
【図１８】
2011165224.tif 000020
【図１９】
2011165224.tif 000021
【図２０】
2011165224.tif 000022
【図２１】
2011165224.tif 000023
【図２２】
2011165224.tif 000024
【図２３】
2011165224.tif 000025
【図２４】
2011165224.tif 000026
【図２５】
2011165224.tif 000027
【図２６】
2011165224.tif 000028
【図２７】
2011165224.tif 000029